(57)【特許請求の範囲】
【請求項１】
本体を含み、前記本体の中には洗浄空間が設置され、前記洗浄空間の後壁には門板空間が設置され、前記洗浄空間の上側には液圧空間が左右対称になるように設置され、二つの前記液圧空間の間には連通空間が連通になるように設置され、二つの前記液圧空間の間には前記連通空間と連通する空気空間が設置され、前記空気空間の下側と前記本体の外側とには通気穴が設置され、前記液圧空間の上側には貯蔵空間が左右対称になるように設置され、各前記貯蔵空間と対応する前記洗浄空間との間には縦空間が連通になるように設置され、前記洗浄空間と前記貯蔵空間の中には点火プラグを浸って洗浄する洗浄装置が設置され、
前記洗浄装置は前記液圧空間と前記連通空間との連通部に固定的に装着された三方弁モータを含み、前記空気空間の中には液圧板が摺動可能に連結され、前記縦空間において前記液圧空間に近接する壁と前記液圧空間に対応する壁との間にはＴ型板が摺動可能に連結され、前記Ｔ型板は前記縦空間を閉鎖でき、前記洗浄空間の頂壁には固定ブロックが固定的に設置され、前記固定ブロックの内壁には内部空間が設置され、前記内部空間の中には漂浮ブロックが摺動可能に連結され、前記内部空間の頂壁にはセンサータイマーが固定的に設置され、前記門板空間の左壁には門板モータが固定的に設置され、前記門板モータと前記センサータイマーとの間には電線が連結され、前記門板モータの右側には前記門板空間の右壁と回転可能に連結された門板軸が伝動可能に連結され、前記門板軸には門板が固定的に設置され、
前記漂浮ブロックが前記センサータイマーと接触したあと、前記三方弁モータを作動させ、前記空気空間の中の作動油を左側の前記液圧空間の中に送り、そして左側の前記縦空間は閉鎖され、前記センサータイマーは時間を設定し、
前記洗浄空間には側辺空間が左右対称になるように設置され、前記洗浄空間の底壁にはばね空間が左右対称になるように、かつ固定的に設置され、前記洗浄空間の底壁にはメンテナンス空間が設置され、前記メンテナンス空間と前記側辺空間との間には傾斜空間が連通になるように設置され、前記メンテナンス空間の左右両側には歯車空間が対称になるように設置され、前記歯車空間の後側にはプーリ空間が設置され、前記ばね空間と前記歯車空間との間には制御装置が設置され、前記メンテナンス空間の下側には分離空間が設置され、前記分離空間の前壁には伝動モータが設置され、前記分離空間と前記メンテナンス空間との間には点火プラグをメンテナンスできるメンテナンス装置が設置されていることを特徴とする修理工場用の白金イリジウムプラグに対するメンテナンス装置。
【請求項２】
前記制御装置は前記プーリ空間の後壁に固定的に装着された伝動モータを含み、前記伝動モータの前側には前記プーリ空間の前壁と回転可能に連結されたモータ軸が伝動可能に連結され、前記モータ軸は前方へ前記歯車空間の中に延在し、かつ前記歯車空間の前後壁と回転可能に連結され、右側の前記歯車空間の前後壁には前記モータ軸と対応する歯車軸が回転可能に連結され、前記歯車軸は前方へ前記歯車空間の中に延在し、かつ前記歯車空間の前後壁と回転可能に連結され、前記モータ軸と前記歯車空間とにはプーリが左右対称になるように、かつ固定的に設置され、二つの前記プーリの間にはベルトが連結され、前記歯車空間において前記モータ軸と前記歯車軸とには歯車が左右対称になるように、かつ固定的に設置され、各前記ばね空間の前後壁には回転軸が回転可能に連結され、各前記回転軸には活動板が固定的に設置され、前記活動板と前記ばね空間の底壁との間には支持ばねが連結され、前記ばね空間の底壁と前記歯車空間の頂壁との間にはヒンジ板が摺動可能に連結され、前記ヒンジ板は前記活動板とヒンジで連結され、前記メンテナンス空間の片側壁と前記歯車空間の片側壁との間には摺動板が摺動可能に連結され、前記摺動板は前記歯車と噛み合い、前記摺動板は前記ヒンジ板の中で左右に移動できることを特徴とする請求項１に記載の修理工場用の白金イリジウムプラグに対するメンテナンス装置。
【請求項３】
前記メンテナンス装置は前記メンテナンス空間の後壁に固定的に装着されたメンテナンスモータを含み、前記メンテナンスモータの前側には前記メンテナンス空間の前壁と回転可能に連結された毛ブラシ軸が伝動可能に連結され、前記毛ブラシ軸には清掃を行える柔軟毛ブラシが固定的に設置され、前記メンテナンス空間の後壁と前記本体の後面との間には隔離板が摺動可能に連結され、前記隔離板は前記メンテナンス空間と前記分離空間とを隔離し、前記分離空間の中には分離板が摺動可能に連結され、前記分離板には中空穴が固定的に設置されていることを特徴とする請求項１に記載の修理工場用の白金イリジウムプラグに対するメンテナンス装置。
【請求項４】
各前記側辺空間において前記メンテナンス空間から離れた壁には搬入空間が設置され、前記本体の表面において各前記搬入空間には側辺ホースが固定的に設置され、各前記貯蔵空間の上側には上側ホースが固定的に設置されていることを特徴とする請求項１に記載の修理工場用の白金イリジウムプラグに対するメンテナンス装置。
【請求項５】
左側の前記貯蔵空間の中の洗浄液はトイレ洗浄剤でもよく、右側の前記貯蔵空間の中の洗浄液は塩素系消毒剤でもよく、前記側辺空間の中のメンテナンス液は白酢でもよいことを特徴とする請求項１に記載の修理工場用の白金イリジウムプラグに対するメンテナンス装置。
【請求項６】
洗浄空間の底壁は前後が少し斜めであることを特徴とする請求項１に記載の修理工場用の白金イリジウムプラグに対するメンテナンス装置。
【発明の詳細な説明】
【技術分野】
【０００１】
本願発明は点火プラグ分野を取り上げ、特に修理工場用の白金イリジウムプラグに対するメンテナンス装置に関わる。
【背景技術】
【０００２】
現在、社会と経済との発展につれ、人々の生活水準が段々向上し、高級自家用車の売上も自然と上げていく。点火プラグは乗用車の点火装置として、定期的に交換する必要があり、廉価なタイプなら直接取り替えられるが、高級車などが使用する白金イリジウムプラグの場合であれば、寿命が長く、値段が高く、故障率が低いなどの特徴を有するため、直接取り替えるのは得ではない。しかし、既存する車両整備店において、白金イリジウムプラグに対するメンテナンス装置はほとんどなく、したがって、修理工場用の白金イリジウムプラグに対するメンテナンス装置を設計する必要はある。
【先行技術文献】
【特許文献】
【０００３】
【特許文献１】中国特許出願公開第１０８６２９３４６号明細書
【発明の概要】
【発明が解決しようとする課題】
【０００４】
技術的解決策。
【課題を解決するための手段】
【０００５】
上記の問題を解決するため、本願は以下の技術的解決策を提供し、本願に記載の修理工場用の白金イリジウムプラグに対するメンテナンス装置は、本体を含み、前記本体の中には洗浄空間が設置され、前記洗浄空間の後壁には門板空間が設置され、前記洗浄空間の上側には液圧空間が左右対称になるように設置され、二つの前記液圧空間の間には連通空間が連通になるように設置され、二つの前記液圧空間の間には前記連通空間と連通する空気空間が設置され、前記空気空間の下側と前記本体の外側とには通気穴が設置され、前記液圧空間の上側には貯蔵空間が左右対称になるように設置され、各前記貯蔵空間と対応する前記洗浄空間との間には縦空間が連通になるように設置され、前記洗浄空間と前記貯蔵空間の中には点火プラグを浸って洗浄する洗浄装置が設置され、
前記洗浄装置は前記液圧空間と前記連通空間との連通部に固定的に装着された三方弁モータを含み、前記空気空間の中には液圧板が摺動可能に連結され、前記縦空間において前記液圧空間に近接する壁と前記液圧空間に対応する壁との間にはＴ型板が摺動可能に連結され、前記Ｔ型板は前記縦空間を閉鎖でき、前記洗浄空間の頂壁には固定ブロックが固定的に設置され、前記固定ブロックの内壁には内部空間が設置され、前記内部空間の中には漂浮ブロックが摺動可能に連結され、前記内部空間の頂壁にはセンサータイマーが固定的に設置され、前記門板空間の左壁には門板モータが固定的に設置され、前記門板モータと前記センサータイマーとの間には電線が連結され、前記門板モータの右側には前記門板空間の右壁と回転可能に連結された門板軸が伝動可能に連結され、前記門板軸には門板が固定的に設置され、
前記洗浄空間には側辺空間が左右対称になるように設置され、前記洗浄空間の底壁にはばね空間が左右対称になるように、かつ固定的に設置され、前記洗浄空間の底壁にはメンテナンス空間が設置され、前記メンテナンス空間と前記側辺空間との間には傾斜空間が連通になるように設置され、前記メンテナンス空間の左右両側には歯車空間が対称になるように設置され、前記歯車空間の後側にはプーリ空間が設置され、前記ばね空間と前記歯車空間との間には制御装置が設置され、前記メンテナンス空間の下側には分離空間が設置され、前記分離空間の前壁には伝動モータが設置され、前記分離空間と前記メンテナンス空間との間には点火プラグをメンテナンスできるメンテナンス装置が設置されている。
【０００６】
好適な技術的解決策として、前記制御装置は前記プーリ空間の後壁に固定的に装着された伝動モータを含み、前記伝動モータの前側には前記プーリ空間の前壁と回転可能に連結されたモータ軸が伝動可能に連結され、前記モータ軸は前方へ前記歯車空間の中に延在し、かつ前記歯車空間の前後壁と回転可能に連結され、右側の前記歯車空間の前後壁には前記モータ軸と対応する歯車軸が回転可能に連結され、前記歯車軸は前方へ前記歯車空間の中に延在し、かつ前記歯車空間の前後壁と回転可能に連結され、前記モータ軸と前記歯車空間とにはプーリが左右対称になるように、かつ固定的に設置され、二つの前記プーリの間にはベルトが連結され、前記歯車空間において前記モータ軸と前記歯車軸とには歯車が左右対称になるように、かつ固定的に設置され、各前記ばね空間の前後壁には回転軸が回転可能に連結され、各前記回転軸には活動板が固定的に設置され、前記活動板と前記ばね空間の底壁との間には支持ばねが連結され、前記ばね空間の底壁と前記歯車空間の頂壁との間にはヒンジ板が摺動可能に連結され、前記ヒンジ板は前記活動板とヒンジで連結され、前記メンテナンス空間の片側壁と前記歯車空間の片側壁との間には摺動板が摺動可能に連結され、前記摺動板は前記歯車と噛み合い、前記摺動板は前記ヒンジ板の中で左右に移動できる。
【０００７】
好適な技術的解決策として、前記メンテナンス装置は前記メンテナンス空間の後壁に固定的に装着されたメンテナンスモータを含み、前記メンテナンスモータの前側には前記メンテナンス空間の前壁と回転可能に連結された毛ブラシ軸が伝動可能に連結され、前記毛ブラシ軸には清掃を行える柔軟毛ブラシが固定的に設置され、前記メンテナンス空間の後壁と前記本体の後面との間には隔離板が摺動可能に連結され、前記隔離板は前記メンテナンス空間と前記分離空間とを隔離し、前記分離空間の中には分離板が摺動可能に連結され、前記分離板には中空穴が固定的に設置されている。
【０００８】
好適な技術的解決策として、各前記側辺空間において前記メンテナンス空間から離れた壁には搬入空間が設置され、前記本体の表面において各前記搬入空間には側辺ホースが固定的に設置され、各前記貯蔵空間の上側には上側ホースが固定的に設置されている。
【０００９】
好適な技術的解決策として、左側の前記貯蔵空間の中の洗浄液はトイレ洗浄剤でもよく、右側の前記貯蔵空間の中の洗浄液は塩素系消毒剤でもよく、前記側辺空間の中のメンテナンス液は白酢でもよい。
【００１０】
好適な技術的解決策として、洗浄空間の底壁は前後が少し斜めである。
【発明の効果】
【００１１】
本願発明は以下のプラス効果を有する：既存する車両整備店には、白金イリジウムプラグに対するメンテナンス装置はほとんどなく、一般的には、人力で点火プラグを取り外してメンテナンス液でメンテナンスを行い、メンテナンス自体の費用は高くないが、人工作業では時間と労力とを費やし、即ち人件費を費やし、本願発明は洗浄装置とメンテナンスとで点火プラグに洗浄とメンテナンスを行い、最大限に点火プラグの清潔さを保ち、また、本願発明は人件費を削除でき、作業効率を向上させられ、さらに、本願発明は整備店で使用される洗浄液とメンテナンス液の代わりに、トイレ洗浄剤と塩素系消毒剤と白酢を使用し、メンテナンスコストを大いに削除でき、普及に値する。
【図面の簡単な説明】
【００１２】
下記に図１〜７を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本願発明の全体全断面の正面構成略図
【図２】図２は図１におけるＡ部の拡大図
【図３】図３は図１におけるＢ―Ｂ方向からの断面図
【図４】図４は図１におけるＣ―Ｃ方向からの断面図
【図５】図５は図１におけるＤ―Ｄ方向からの断面図
【図６】図６は図３におけるＥ―Ｅ方向からの断面図
【図７】図７は図５におけるＦ―Ｆ方向からの断面図
【発明を実施するための形態】
【００１４】
図１〜図７を合わせ、本願に記載の修理工場用の白金イリジウムプラグに対するメンテナンス装置は、本体２０を含み、前記本体２０の中には洗浄空間２２が設置され、前記洗浄空間２２の後壁には門板空間５８が設置され、前記洗浄空間２２の上側には液圧空間２９が左右対称になるように設置され、二つの前記液圧空間２９の間には連通空間５０が連通になるように設置され、二つの前記液圧空間２９の間には前記連通空間５０と連通する空気空間４７が設置され、前記空気空間４７の下側と前記本体２０の外側とには通気穴５１が設置され、前記液圧空間２９の上側には貯蔵空間２７が左右対称になるように設置され、各前記貯蔵空間２７と対応する前記洗浄空間２２との間には縦空間２４が連通になるように設置され、前記洗浄空間２２と前記貯蔵空間２７の中には点火プラグを浸って洗浄する洗浄装置１０１が設置され、
前記洗浄装置１０１は前記液圧空間２９と前記連通空間５０との連通部に固定的に装着された三方弁モータ４９を含み、前記空気空間４７の中には液圧板４８が摺動可能に連結され、前記縦空間２４において前記液圧空間２９に近接する壁と前記液圧空間２９に対応する壁との間にはＴ型板２３が摺動可能に連結され、前記Ｔ型板２３は前記縦空間２４を閉鎖でき、前記洗浄空間２２の頂壁には固定ブロック５３が固定的に設置され、前記固定ブロック５３の内壁には内部空間４６が設置され、前記内部空間４６の中には漂浮ブロック５４が摺動可能に連結され、前記内部空間４６の頂壁にはセンサータイマー５２が固定的に設置され、前記門板空間５８の左壁には門板モータ６５が固定的に設置され、前記門板モータ６５と前記センサータイマー５２との間には電線５９が連結され、前記門板モータ６５の右側には前記門板空間５８の右壁と回転可能に連結された門板軸５６が伝動可能に連結され、前記門板軸５６には門板５７が固定的に設置され、前記洗浄空間２２には側辺空間２１が左右対称になるように設置され、前記洗浄空間２２の底壁にはばね空間３１が左右対称になるように、かつ固定的に設置され、前記洗浄空間２２の底壁にはメンテナンス空間３８が設置され、前記メンテナンス空間３８と前記側辺空間２１との間には傾斜空間４３が連通になるように設置され、前記メンテナンス空間３８の左右両側には歯車空間４４が対称になるように設置され、前記歯車空間４４の後側にはプーリ空間６４が設置され、前記ばね空間３１と前記歯車空間４４との間には制御装置１０２が設置され、前記メンテナンス空間３８の下側には分離空間４０が設置され、前記分離空間４０の前壁には伝動モータ６２が設置され、前記分離空間４０と前記メンテナンス空間３８との間には点火プラグをメンテナンスできるメンテナンス装置１０３が設置されている。
【００１５】
また、一つの実施例において、
前記制御装置１０２は前記プーリ空間６４の後壁に固定的に装着された伝動モータ６２を含み、前記伝動モータ６２の前側には前記プーリ空間６４の前壁と回転可能に連結されたモータ軸６６が伝動可能に連結され、前記モータ軸６６は前方へ前記歯車空間４４の中に延在し、かつ前記歯車空間４４の前後壁と回転可能に連結され、右側の前記歯車空間４４の前後壁には前記モータ軸６６と対応する歯車軸３５が回転可能に連結され、前記歯車軸３５は前方へ前記歯車空間４４の中に延在し、かつ前記歯車空間４４の前後壁と回転可能に連結され、前記モータ軸６６と前記歯車空間３５とにはプーリ６３が左右対称になるように、かつ固定的に設置され、二つの前記プーリ６３の間にはベルト６７が連結され、前記歯車空間４４において前記モータ軸６６と前記歯車軸３５とには歯車３６が左右対称になるように、かつ固定的に設置され、各前記ばね空間３１の前後壁には回転軸３４が回転可能に連結され、各前記回転軸３４には活動板３０が固定的に設置され、前記活動板３０と前記ばね空間３１の底壁との間には支持ばね３２が連結され、前記ばね空間３１の底壁と前記歯車空間４４の頂壁との間にはヒンジ板３３が摺動可能に連結され、前記ヒンジ板３３は前記活動板３０とヒンジで連結され、前記メンテナンス空間３８の片側壁と前記歯車空間４４の片側壁との間には摺動板６８が摺動可能に連結され、前記摺動板６８は前記歯車３６と噛み合い、前記摺動板６８は前記ヒンジ板３３の中で左右に移動でき、且つ各前記歯車３６の下側には対応する前記歯車空間４４の底壁に摺動可能に連結された閉鎖板４５が噛み合い、前記閉鎖板４５は前記側辺空間２１を閉鎖でき、
前記洗浄空間２２の中の洗浄液を排出したあと、前記伝動モータ６２を作動させ、前記モータ軸６６と前記プーリ６３とは駆動されて回転し、そして前記歯車軸３５は駆動されて回転し、さらに前記歯車３６は駆動されて回転し、さらに前記摺動板６８は駆動されて前記メンテナンス空間３８から離れるように移動し、さらに前記ヒンジ板３３と前記活動板３０とは駆動されて上方へ移動し、勾配を変えることで、前記洗浄空間２２の中にある落下していない点火プラグを落下させ、同時に、前記歯車３６は回転して前記閉鎖板４５を駆動して前記メンテナンス空間３８に接近するように移動させ、そして前記側辺空間２１は開けられ、前記側辺空間２１の中のメンテナンス液は前記メンテナンス空間３８の中に入る。
【００１６】
また、一つの実施例において、
前記メンテナンス装置１０３は前記メンテナンス空間３８の後壁に固定的に装着されたメンテナンスモータ６０を含み、前記メンテナンスモータ６０の前側には前記メンテナンス空間３８の前壁と回転可能に連結された毛ブラシ軸４２が伝動可能に連結され、前記毛ブラシ軸４２には清掃を行える柔軟毛ブラシ３７が固定的に設置され、前記メンテナンス空間３８の後壁と前記本体２０の後面との間には隔離板３９が摺動可能に連結され、前記隔離板３９は前記メンテナンス空間３８と前記分離空間４０とを隔離し、前記分離空間４０の中には分離板４１が摺動可能に連結され、前記分離板４１には中空穴６１が固定的に設置され、
点火プラグが前記メンテナンス空間３８の中に入ったあと、メンテナンス液は前記傾斜空間４３を経由して前記メンテナンス空間３８の中に入り、そして前記メンテナンスモータ６０を作動させ、前記毛ブラシ軸４２は駆動されて回転し、前記柔軟毛ブラシ３７は点火プラグを清掃し、清掃が終わったあと、作業員が前記隔離板３９を抜け出し、メンテナンス液と点火プラグとは前記分離板４１に落下し、そして洗浄液は前記中空穴６１と前記伝動モータ６２とを経由して流れ出され、点火プラグはそのまま分離板４１に残り、そして前記分離板４１を抜け出し、点火プラグを拭けば良い。
【００１７】
また、一つの実施例において、
各前記側辺空間２１において前記メンテナンス空間３８から離れた壁には搬入空間２６が設置され、前記本体２０の表面において各前記搬入空間２６には側辺ホース２５が固定的に設置され、各前記貯蔵空間２７の上側には上側ホース２８が固定的に設置され、
前記貯蔵空間２７と前記側辺空間２１とに洗浄液を加えることに便利である。  
【００１８】
また、一つの実施例において、
左側の前記貯蔵空間２７の中の洗浄液はトイレ洗浄剤でもよく、右側の前記貯蔵空間２７の中の洗浄液は塩素系消毒剤でもよく、前記側辺空間２１の中のメンテナンス液は白酢でもよく、
メンテナンスコストを削減できる。
【００１９】
また、一つの実施例において、
洗浄空間２２の底壁は前後が少し斜めであり、
洗浄液が流れ出ることができ、対して点火プラグは自身の重量によって前記洗浄空間２２の中に残れる。
【００２０】
点火プラグにメンテナンスを行うとき、門板モータ６５を作動して、そして門板５７は開かれ、次に点火プラグをメンテナンス空間３８の中に入れ、三方弁モータ４９を作動させ、左側の液圧空間２９の中の作動油を空気空間４７の中に送り、そして左側のＴ型板２３は左方へ移動し、縦空間２４は開かれ、左側の貯蔵空間２７の中の洗浄液は洗浄空間２２の中に流れ込み、そして洗浄空間２２の洗浄液は漂浮ブロック５４を駆動して浮上させ、漂浮ブロック５４がセンサータイマー５２と接触したあと、三方弁モータ４９を作動させ、空気空間４７の中の作動油を左側の液圧空間２９の中に送り、そして左側の縦空間２４は閉鎖され、センサータイマー５２は時間を設定し、設定時間が経ったあと、電線５９を通じて門板モータ６５を作動させ、門板軸５６と門板５７とは駆動されて回転し、洗浄空間２２の中の洗浄液は排出され、そして門板５７を閉じ、三方弁モータ４９を作動させ、右側の液圧空間２９の中の作動油を空気空間４７の中に送り、右側の縦空間２４は開かれ、二回目の洗浄を行い、
洗浄空間２２の中の洗浄液が排出されたあと、伝動モータ６２を作動させ、モータ軸６６とプーリ６３とは駆動されて回転し、そして歯車軸３５は駆動されて回転し、さらに歯車３６は駆動されて回転し、さらに摺動板６８は駆動されてメンテナンス空間３８から離れるように移動し、さらにヒンジ板３３と活動板３０とは駆動されて上方へ移動し、勾配を変えることで、そして洗浄空間２２の中にある落下していない点火プラグを落下させ、同時に、歯車３６は回転して閉鎖板４５を駆動してメンテナンス空間３８に接近するように移動させ、そして側辺空間２１は開かれ、中のあるメンテナンス液はメンテナンス空間３８の中に入り、点火プラグがメンテナンス空間３８の中に入ったあと、メンテナンス液は傾斜空間４３を経由してメンテナンス空間３８に入り、そしてメンテナンスモータ６０を作動させ、毛ブラシ軸４２は駆動されて回転し、柔軟毛ブラシ３７を通じて点火プラグを清掃し、清掃が終わったあと、作業員が隔離板３９を抜け出し、そしてメンテナンス液と点火プラグ４１とが分離板４１に落下し、メンテナンス液は中空穴６１と伝動モータ６２とを経由して流れ出され、対して点火プラグが分離板４１に残され、そして分離板４１を抜け出し、点火プラグを拭けば良い。
【００２１】
本願発明は以下のプラス効果を有する：既存する車両整備店には、白金イリジウムプラグに対するメンテナンス装置はほとんどなく、一般的には、人力で点火プラグを取り外してメンテナンス液でメンテナンスを行い、メンテナンス自体の費用は高くないが、人工作業では時間と労力とを費やし、即ち人件費を費やし、本願発明は洗浄装置とメンテナンスとで点火プラグに洗浄とメンテナンスを行い、最大限に点火プラグの清潔さを保ち、また、本願発明は人件費を削除でき、作業効率を向上させられ、さらに、本願発明は整備店で使用される洗浄液とメンテナンス液の代わりに、トイレ洗浄剤と塩素系消毒剤と白酢を使用し、メンテナンスコストを大いに削除でき、普及に値する。
【００２２】
以上に述べたのは本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。。
【要約】
【課題】本願は修理工場用の白金イリジウムプラグに対するメンテナンス装置を開示した。
【解決手段】
本願は修理工場用の白金イリジウムプラグに対するメンテナンス装置を開示し、本体を含み、前記本体の中には洗浄空間が設置され、前記洗浄空間の後壁には門板空間が設置され、前記洗浄空間の上側には液圧空間が左右対称になるように設置され、二つの前記液圧空間の間には連通空間が連通になるように設置され、二つの前記液圧空間の間には前記連通空間と連通する空気空間が設置され、本願発明は洗浄装置とメンテナンスとで点火プラグに洗浄とメンテナンスを行い、最大限に点火プラグの清潔さを保ち、また、本願発明は人件費を削除でき、作業効率を向上させられ、さらに、本願発明は整備店で使用される洗浄液とメンテナンス液の代わりに、トイレ洗浄剤と塩素系消毒剤と白酢を使用し、メンテナンスコストを大いに削除できる。
【選択図】図１【図１】
0006813738.tif 000002
【図２】
0006813738.tif 000003
【図３】
0006813738.tif 000004
【図４】
0006813738.tif 000005
【図５】
0006813738.tif 000006
【図６】
0006813738.tif 000007
【図７】
0006813738.tif 000008